(57)【要約】【課題】現在の住宅においては、リビング、ダイニング、廊下その他の床材にフローリングを使用する事が多い為、そのフローリングの水拭き、乾拭き、ワックス掛け、ワックス磨きの手入れに大変労力を要している。しかるに従来の電気掃除機は床面の塵、埃を吸引、除去する機能しかなくそれら作業に対応できない。本発明は電気掃除機の吸い込み口ヘッドを改良し、電気掃除機にそれら作業をおこなえるようにし、家事労働の軽減をはかると伴に、作業の仕上りを綺麗にするものである。【解決手段】パスカルの法則、フックの法則を利用して、電機掃除機の吸引力による真空圧とシリンダー内部に設けた圧縮コイルバネ及びシリンダー内の真空圧の上昇、下降を切り替える開閉盤によりピストンを上下させ、その上下運動をクランクにより回転運動に変え、もってモップ回転盤を回転させ、水拭き、乾拭きワックス掛け、ワックス磨きの作業を行わせる。【選択図】図２
2004016255.tif 000002
【特許請求の範囲】
【請求項１】
住宅のフローリング床面の水拭き・乾拭き・ワックス掛け・ワックス磨きのために、電気掃除機の吸い込み口に、水拭き・乾拭き・ワックス掛け・ワックス磨きの為のモップ回転盤（又はパッド回転盤）を有した吸込み口ヘッドを差し込む事を特徴とするフローリングクリーナーヘッド。
【請求項２】
モップ回転盤（又はパッド回転盤）を回転させる為に、電気掃除機の真空圧とバネの弾性力を利用して、フローリングクリーナーヘッド内部のシリンダーのピストンを上下させ、それをクランクによって回転運動に変え、もってモップ回転盤（又はパッド回転盤）を回転させてフローリング床面の水拭き・乾拭き・ワックス掛け・ワックス磨きを行う機構を有する事を特徴とする請求項１のフローリングリーナーヘッド。
【請求項３】
シリンダー内部のピストンを継続的に上下運動させる為に、その運動と連動してシリンダー内の真空圧を上昇・下降させる為の開閉機構を有する事を特徴とする請求項１のフローリングクリーナーヘッド。
【請求項４】
開閉機構の開閉に伴う真空圧の上昇・下降による電気掃除機本体の電動モーターへの負荷を軽減して電動モーターの異常温昇・異常高音の発生を防止する為に、又、真空圧の急激な変動による電気掃除機のホースへの衝撃を緩和する為に、又、必要とする回転力を得られるよう吸込み仕事率の異なる電気掃除機の真空圧を調節しもって各種電気掃除機への装着を可能とする為に、シリンダー内の最大真空圧を調節することのできる真空圧調節機構を有する請求項１のフローリングクリーナーヘッド。
【発明の詳細な説明】
【０００１】
【発明が属する技術分野】
本発明は、電気掃除機の吸い込み口ヘッドに関するものである。
【０００２】
【従来の技術】
従来の電気掃除機の吸い込み口ヘッドは、床面の塵や埃を吸引、除去する為だけの機能しかなく、水拭き、乾拭き、ワックス掛け、ワックス磨きなどの家事作業は行えなかった。
【０００３】
【発明が解決しようとする課題】
現在の住宅においては、リビング、ダイニング、廊下その他の床材にフローリングを使用する事が多く、そのフローリングの水拭き、乾拭き、ワックス掛け、ワックス磨きの手入れに大変労力を要している。しかるに従来の電気掃除機は床面の塵、埃を吸引、除去する機能しかなくそれら作業に対応できない。本発明は電気掃除機の吸い込み口ヘッドを改良し、水拭き、乾拭き、ワックス掛け、ワックス磨きの機能を付加することによって電気掃除機にそれら作業をおこなえるようにし、家事労働の軽減をはかると伴に、ワックス掛けの仕上りを綺麗にするものである。
【０００４】
【問題を解決するための手段】
以上の課題を解決する為に、請求項１は、電気掃除機の吸い込み口に、水拭き、乾拭き、ワックス掛け、ワックス磨きの為のモップ回転盤（又はパッド回転盤）を有したフローリングクリーナーヘッドを取り付け、請求項２はヘッドのシリンダー内部で、電気掃除機の真空圧とシリンダー内部に取り付けたバネの弾性を利用してピストンを上下させ、その上下運動をクランクによって回転運動に変え、更にその回転運動をモップ回転盤（又はパッド回転盤）に伝え、それによって水拭き、乾拭き、ワックス掛け、ワックス磨きの作業をする機構を有する事を特徴とし、また請求項３は、シリンダーのピストンの上下運動を継続的に行う為にシリンダー内の真空圧を上昇、下降させる為の開閉機構を有する事を特徴とし、また請求項４は開閉機構の開閉による真空圧の上昇・下降による電気掃除機本体の電動モーターへの負荷を軽減して異常昇温・異常騒音の発生を防止する為に、又、真空圧の変動による電気掃除機のホースへの衝撃を緩和する為に、又、仕事率の異なる電気掃除機への汎用的な取り付けを可能とする為に、シリンダー内の最大真空圧を調節する為の真空圧調節機構を有する事を特徴とした請求項１のフローリングクリーナーヘッドとして実現した。
【０００５】
【実施例】
図１は、本発明装置のフローリングクリーナーヘッド１を電気掃除機本体の吸い込み口に差し込んで装着した図である。
【０００６】
図２は、フローリングクリーナーヘッドの内部構造を示した図で、電気掃除機本体のスイッチをいれると、フローリングクリーナーヘッドの差し込み口２から空気が強力に吸引され、そのとき開閉口３は開閉盤４により閉ざされている為シリンダー室Ａ５の真空圧は最大となりピストン６が上昇、それによって圧縮コイルバネＡ７が圧縮されると伴にクランク８が回転を始める。次に、ピストン６の上昇によってある時点で開閉盤４が押し上げられ開閉口３を開き始め真空圧を加速度的に開放し始める。ピストン６が上死点に達すると開閉口３は完全に開き、シリンダー室Ａ５の真空圧は最小となる。その為圧縮コイルバネＡ７の弾性力が真空圧より卓越し、それによってピストン６は下降を始める。ピストン６が下降するとある時点で開閉盤４が開閉口３を閉じ始め真空圧を加速度的に上昇させていく。やがてピストン６が下死点に達する下死点に達すると開閉口３は完全に閉じられ真空圧は最大となり、ピストン６を押し上げる力は圧縮コイルバネＡ７の弾性力より卓越しピストン６を上昇させ始める。ピストン６の、上死点、下死点の直前では上下運動に抗する力が発生するが、これは回転運動の慣性により抑えられ、又、はずみ車効果により回転はスムーズに行われる。この回転運動はモップ回転盤（又はパッド回転盤）９に伝達されこれを回転させる。以上においてシリンダー室Ｂ１０は開口部１１により常に大気圧のもとに置かれている。
モップ回転盤（又はパッド回転盤）９にはモップ（又はパッド）１２が装着されており、それによってフローリングの水拭き、乾拭き、ワックス掛け、ワックス磨きが行われる。モップ回転盤（又はパッド回転盤）９は自在キャスター１３を支点として、作業者の力と圧縮コイルバネＢ１４によって適切な圧力で押し下げられ、適切なモップ作業が行われるようになっている。モップ回転盤９へのモップ（又はパッド）１２の装脱着は、モップ回転盤９とモップ１２の双方に取り付けられたメッシュによって、それらが絡んだり解れたりしてすることによって自由に取り外し取り付けが出来るようになっており、水拭き、乾拭き、ワックス掛け、ワックス磨きの用途に応じて使い分けたり清掃等の手入れができるようになっている。
【０００７】
図３は開閉機構の構造を示すための図でピストン６と開閉盤４及び開閉盤押え１６からなり、ピストン９が上下運動する度に開閉盤４がスライドし開閉口３を開閉する。
【０００８】
図４はピストン６とクランク８及び開閉盤４の動きを模式的に示した図で、真空圧の変化、圧縮コイルバネの弾性力によりいかに回転力が発生するかを説明する図である。
図４−１は電気掃除機のスイッチを入れる前の初期状態で、圧縮コイルバネＡ７の一定の弾性力によりピストンは下死点にあり、開閉口３は開閉盤４により完全に閉まっている。
図４−２はスイッチを入れた状態でシリンダ室Ａ５は真空状態となり、ピストン６は真空圧で圧縮コイルバネＡ７を圧縮しながら上昇し始める。
この時、開閉盤４はまだピストン６によって押し上げられておらず開閉口３も閉じたままである。従ってシリンダー室Ａ５は最大真空圧に保たれておりピストン６は最大の力で上昇を続けるクランク８を回転させる。
図４−３はピストン６の上昇に伴いやがて開閉盤４が押し上げられ開閉口３が全閉状態から全開状態へ移る移行期で、シリンダー室Ａ５の真空圧は加速度的にに低下していくが、回転運動の慣性、はずみ車効果によりピストン６は上死点にまで達する。
図４−４では開閉口３は全開状態となり、真空圧は最小となって、圧縮コイルバネＡ７の弾性力が卓越しピストン６は下降運動を開始する。
図４−５では圧縮コイルバネＡ７の力でピストン６は下降し、クランク８を更に回転させる。この時開閉盤４はまだピストン６によって押し下げられてはおらず開閉口３は開いたままである。
図４−６はピストン６の下降に伴いやがて開閉盤４が押し下げられて開閉口３が全開状態から全閉状態へ移る移行期で、真空圧は加速度的に上昇し、それに伴いピストン６の下降運動も急速に弱まっていくが、圧縮コイルバネＡ７の弾性、回転運動の慣性によりピストン６は下死点にまで達する。
図４−７では開閉口３は全閉状態となり真空圧は最大となってピストン６の上昇力は圧縮コイルバネＡ７の弾性力を卓越しピストン６は上昇運動を開始する。
以後このサイクルを繰り返す。
【０００９】
この回転機構のポイントは、パスカルの法則により、電気掃除機の吸引力により生じた真空圧が強力なピストン６の上昇力（シリンダー内面積×電気掃除機の真空度）を生み出し、同時に圧縮コイルバネＡ７を圧縮することによりフックの法則により同等の弾性力を蓄積すること、又ピストン６の動きと同期化した開閉盤４が開閉口３を開閉し、シリンダー室Ａ５の真空圧を上昇下降させピストン６の上下運動を継続させることにある。又、パスカルの法則により、シリンダー内面積を適切に広くすれば、モップ回転盤９（又はパッド回転盤）を回転させるに十分な回転力を得ることが出来るという点にある。
【００１０】
図８は真空調節器１５を説明した図で、シリンダー室Ａ５に取り付け、弁を開閉することにより、シリンダー室Ａ５の最大真空圧を調節する。
「他の実施形態」
図１１、１２、１３、１４、１５に示すように開閉機構は、円盤状の開閉盤を回転軸に取り付けそれにより開閉口の開閉を行い真空圧の上昇・下降を調節するものでもよい。
【００１１】
【発明の効果】
以上説明したように、この発明によれば、フローリングワックスクリーナーヘッドを電気掃除機の吸い込み口に装着することによって、電気掃除機を単に塵や埃の吸引、除去のみに使用するのではなく、フローリング床面の水拭き、乾拭き、ワックス掛け、ワックス磨きにも使用できるようにする。
【図面の簡単な説明】
【図１】フローリングワックスクリーナーヘッドを、電気掃除機本体に装着した
説明図である。
【図２】フローリングワックスクリーナーヘッドの内部構造を示した説明図であ
る。
【図３】フローリングワックスクリーナーヘッドの開閉機構を示した説明図であ
る。
【図４】フローリングワックスクリーナーヘッドの開閉機構のメカニズムを模式
的に示した説明図である。
【図５】フローリングワックスクリーナーヘッドの側面図である。
【図６】フローリングワックスクリーナーヘッドの平面図である。
【図７】フローリングワックスクリーナーヘッドの正面図である。
【図８】フローリングワックスクリーナーヘッドの真空調節器の図面である。
【図９】フローリングワックスクリーナーヘッドのクランクの図面である。
【図１０】フローリングワックスクリーナーヘッドの本体とモップ回転盤の取り付
け部分の図で、圧縮コイルバネＢによりモップ回転盤とヘッド本体は接
続されていると伴に、回転軸とモップ回転盤はスライドできるようにな
っている。
【図１１】他の実施形態である円盤状の開閉盤を持ったフローリングクリーナーヘ
ッドの内部機構を示した説明図である。
【図１２】他の実施形態の側面図である。
【図１３】他の実施形態の平面図である。
【図１４】他の実施形態の正面図である。
【図１５】他の実施形態である円盤状の開閉盤の図面である
【符号の説明】
１　フローリンワックスクリーナーヘッド
２　差込み口
３　開閉口
４　開閉盤
５　シリンダー室Ａ
６　ピストン
７　圧縮コイルバネＡ
８　クランク
９　モップ回転盤（又はパッド回転盤）
１０　シリンダー室Ｂ
１１　開口部
１２　モップ（又はパッド）
１３　自在キャスター
１４　圧縮コイルバネＢ
１５　真空調節器
１６　開閉盤押え
【図１】
2004016255.tif 000003
【図２】
2004016255.tif 000004
【図３】
2004016255.tif 000005
【図４】
2004016255.tif 000006
【図５】
2004016255.tif 000007
【図６】
2004016255.tif 000008
【図７】
2004016255.tif 000009
【図８】
2004016255.tif 000010
【図９】
2004016255.tif 000011
【図１０】
2004016255.tif 000012
【図１１】
2004016255.tif 000013
【図１２】
2004016255.tif 000014
【図１３】
2004016255.tif 000015
【図１４】
2004016255.tif 000016
【図１５】
2004016255.tif 000017